(57)【要約】【課題】コストが低廉で、かつ、取扱性が良く、しかも耐久性に富む蓋を提供することである。【解決手段】蓋面部と、前記蓋面部に立設された筒部と、前記筒部の先端に設けられた開口部と、アーム部と、前記アーム部に設けられた栓部とを具備してなる蓋であって、前記アーム部の一方の端部は前記蓋の周縁部Ａに結合しており、前記アーム部の他方の端部は前記蓋の周縁部Ｂ（Ｂ≠Ａ）に結合している。【選択図】図１
2015113137.tif 000002
【特許請求の範囲】
【請求項１】
蓋面部と、前記蓋面部に立設された筒部と、前記筒部の先端に設けられた開口部と、アーム部と、前記アーム部に設けられた栓部とを具備してなる蓋であって、
前記アーム部の一方の端部は、前記蓋の周縁部Ａに、結合しており、
前記アーム部の他方の端部は、前記蓋の周縁部Ｂ（Ｂ≠Ａ）に、結合している
ことを特徴とする蓋。
【請求項２】
前記アーム部を前記周縁部より下方側に押圧した押圧力が解除された場合、前記アーム部が前記周縁部に掛止するよう構成されてなる
ことを特徴とする請求項１の蓋。
【請求項３】
前記アーム部は、前記周縁部に設けられたフランジにスリットが形成されることによって、構成されてなる
ことを特徴とする請求項１又は請求項２の蓋。
【請求項４】
波形状部が前記アーム部の端部側に構成されてなる
ことを特徴とする請求項１〜請求項３いずれかの蓋。
【請求項５】
前記アーム部はバネ機能を有する
ことを特徴とする請求項１〜請求項４いずれかの蓋。
【請求項６】
前記アーム部の長さは前記蓋周縁部の半周の長さよりも長い
ことを特徴とする請求項１〜請求項５いずれかの蓋。
【請求項７】
前記筒部の先端部の肉厚は前記蓋面部の平坦面部の肉厚より薄い
ことを特徴とする請求項１〜請求項６いずれかの蓋。
【請求項８】
前記筒部は複数段構造の筒部である
ことを特徴とする請求項１〜請求項７いずれかの蓋。
【請求項９】
前記筒部は蓋中心位置から外れた位置に在る
ことを特徴とする請求項１〜請求項８いずれかの蓋。
【請求項１０】
凹部が前記蓋面部に形成されてなる
ことを特徴とする請求項１〜請求項９いずれかの蓋。
【請求項１１】
請求項１〜請求項１０いずれかの蓋と
前記蓋が装着される容器本体
とを具備する容器。
【発明の詳細な説明】
【技術分野】
【０００１】
本発明は蓋に関する。
【背景技術】
【０００２】
吸飲用の筒部が設けられた蓋が提案（特開２００６−１６０３６６号公報、特表２０１３−５３０８８８号公報）されている。例えば、図６〜図９に示される飲料用カップの蓋が提案されている。図６〜図９中、３１は蓋である。３２は筒部（吸飲部）である。筒部３２は蓋面に立設している。３３は開口部である。開口部３３は筒部３２の先端に形成されている。３４はアーム部である。３５は栓である。栓３５はアーム部３４の端部に設けられている。３６は凹部である。
【先行技術文献】
【特許文献】
【０００３】
【特許文献１】特開２００６−１６０３６６号公報
【特許文献１】特表２０１３−５３０８８８号公報
【発明の概要】
【発明が解決しようとする課題】
【０００４】
上記構造の蓋が容器本体に取り付けられた容器にあっては、容器が振られても、開口部３３は栓３５によって塞がれている。従って、容器本体内の液体が外部に漏れ出ることは無い。
【０００５】
しかしながら、前記提案の蓋には各種の問題が残されていることが判って来た。
【０００６】
蓋３１は、外形が一点鎖線で示される成形体（図７（平面図）参照）が得られた後、前記成形体が実線に沿って打ち抜かれることによって、得られる。この時、実線と一点鎖線との間の領域の材料は廃棄される。無駄になる材料が多い。廃棄コストが高く付く。すなわち、生産コストが高い。
【０００７】
飲用に際して、栓３５は凹部３６に位置している。従って、特許文献１では、アーム部３４が、飲用に際して、邪魔になり難いと謳われている。しかし、アーム部３４は略Ｃ形状に曲がっている。アーム部３４は蓋上面に大きく湾曲して存在している。かつ、アーム部３４は筒部３２の近くに存在している（図８参照）。従って、飲用に際して、アーム部３４は、やはり、邪魔である。
【０００８】
非飲用時においては、栓３５は開口部３３に位置している（図９参照）。図９と図８との対比から判る通り、アーム部３４は、角度を大きく変えて、捻じられる。角度が大きく変えて捩じられる結果、アーム部３４が損傷する恐れが高い。
【０００９】
更には、図８の状態から図９の状態への変換、逆に、図９の状態から図８の状態への変換を要することは、手間が掛る。すなわち、取扱性（操作性）が悪い。特に、手が不自由な者は扱い難い。
【００１０】
従って、本発明が解決しようとする課題は、前記問題点を解決することである。すなわち、コストが低廉で、かつ、取扱性が良く、しかも耐久性に富む蓋を提供することである。
【課題を解決するための手段】
【００１１】
本発明は、
蓋面部と、前記蓋面部に立設された筒部と、前記筒部の先端に設けられた開口部と、アーム部と、前記アーム部に設けられた栓部とを具備してなる蓋であって、
前記アーム部の一方の端部は、前記蓋の周縁部Ａに、結合しており、
前記アーム部の他方の端部は、前記蓋の周縁部Ｂ（Ｂ≠Ａ）に、結合している
ことを特徴とする蓋を提案する。
【００１２】
本発明は、前記蓋であって、前記アーム部を前記周縁部より下方側に押圧した押圧力が解除された場合、前記アーム部が前記周縁部に掛止するよう構成されてなることを特徴とする蓋を提案する。
【００１３】
本発明は、前記蓋であって、前記アーム部は、前記周縁部に設けられたフランジにスリットが形成されることによって、構成されてなることを特徴とする蓋を提案する。
【００１４】
本発明は、前記蓋であって、波形状部が前記アーム部の端部側に構成されてなることを特徴とする蓋を提案する。
【００１５】
本発明は、前記蓋であって、前記アーム部はバネ機能を有することを特徴とする蓋を提案する。
【００１６】
本発明は、前記蓋であって、前記アーム部の長さは前記蓋周縁部の半周の長さよりも長いことを特徴とする蓋を提案する。
【００１７】
本発明は、前記蓋であって、前記筒部の先端部の肉厚は前記蓋面部の平坦面部の肉厚より薄いことを特徴とする蓋を提案する。
【００１８】
本発明は、前記蓋であって、前記筒部は複数段構造の筒部であることを特徴とする蓋を提案する。
【００１９】
本発明は、前記蓋であって、前記筒部は蓋中心位置から外れた位置に在ることを特徴とする蓋を提案する。
【００２０】
本発明は、前記蓋であって、凹部が前記蓋面部に形成されてなることを特徴とする蓋を提案する。
【００２１】
本発明は、前記蓋と、前記蓋が装着される容器本体とを具備する容器を提案する。
【発明の効果】
【００２２】
コストが低廉で、かつ、取扱性が良く、しかも耐久性に富む。
【図面の簡単な説明】
【００２３】
【図１】閉栓状態での容器の斜視図
【図２】開栓後の自然放置状態での容器の斜視図
【図３】飲用時（開栓状態）における容器の斜視図
【図４】蓋の平面図
【図５】蓋の断面図
【図６】従来の蓋の斜視図
【図７】従来の蓋の平面図
【図８】従来の蓋の開栓時の平面図
【図９】従来の蓋の閉栓時の平面図
【発明を実施するための形態】
【００２４】
第１の本発明は蓋である。前記蓋の好ましい実施形態は次の通りである。前記蓋は蓋面部を具備する。前記蓋は筒部を具備する。前記筒部は前記蓋面部に立設している。前記筒部は開口部を具備する。前記開口部は前記筒部の先端に設けられている。前記蓋はアーム部を具備する。前記蓋は栓部を具備する。前記栓部は前記アーム部に設けられている。前記栓部は前記開口部の蓋の役割を奏する。前記アーム部の一方の端部は、前記蓋の周縁部Ａに、結合している。前記アーム部の他方の端部は、前記蓋の周縁部Ｂに、結合している。前記周縁部Ａと前記周縁部Ｂとは異なる位置である。
【００２５】
前記アーム部は、好ましくは、前記アーム部を前記周縁部より下方側に押圧した押圧力が解除された場合、前記アーム部が前記周縁部に掛止するよう構成されている。
【００２６】
前記アーム部は、フランジにスリットが形成されることによって、構成される。例えば、フランジが前記周縁部に設けられている。このフランジに、所定ラインに沿ったスリットが、形成される。これによって、例えば円弧状（弓状）のアーム部が構成される。前記スリットは、基本的には、ライン状である。前記スリットの幅は、多少の幅を有していても良い。勿論、前記幅は、非常に狭い幅であっても良い。前記幅は、一般的には、５ｍｍ以下である。例えば、２ｍｍ以下である。好ましくは、１ｍｍ以下である。前記幅の下限値は、スリット形成が可能な値で有れば良い。前記スリットはプレス加工で形成できる。前記アーム部は、蓋の周縁一部に沿って存在する。前記アーム部の形成に際して、無駄になる割合が少ない。
【００２７】
前記アーム部は、例えば波形状部を具備する。前記波形状部は、好ましくは、前記アーム部の端部側に形成されている。変形力が前記アーム部に作用しても、前記波形状部の存在によって、前記アーム部に作用する歪が緩和される。従って、前記アーム部の耐久性が向上する。
【００２８】
前記アーム部は、好ましくは、バネ機能を有する。前記バネ機能は、前記アーム部の構成素材（例えば、樹脂）と、前記アーム部の形状（例えば、弧形状（弓形状））とによって、発揮される。前記バネ機能によって、前記アーム部は前記周縁部に効果的に掛止する。前記掛止状態は、自然には、外れ難い。
【００２９】
前記アーム部の長さは、好ましくは、前記蓋周縁部の半周の長さよりも長い。前記蓋が平面視で円形の場合、前記円の中心（位置Ｏ）と前記アーム部の一方の端部（位置Ａ）とを連結するラインと、前記円の中心（位置Ｏ）と前記アーム部の他方の端部（位置Ｂ）とを連結するラインとの交差角が１８０°より大きい。ラインＯＡとラインＯＢとのなす角度が、好ましくは、１８０°を越える。これによって、前記アーム部は、効果的に、前記周縁部に、掛止する。
【００３０】
前記筒部における先端部の肉厚は、好ましくは、前記蓋面部における平坦面部の肉厚より薄い。これによって、前記筒部の先端部は、柔らかいものとなる。すなわち、前記筒部の先端部は、肉厚が薄いので、それだけ、柔らかい。従って、前記筒部を口に含んだ際の感触が良い。蓋面部の肉厚は厚い。従って、蓋面部の機械的強度は高い。
【００３１】
前記筒部は、好ましくは、複数段構造の筒部である。例えば、二段型筒である。或いは、三段型筒である。これによって、肉厚が薄い部分（口に含む（口に銜える）部分）を、不必要に、長くしなくても済む。従って、容器内の液体（流動体：高粘度物）を、前記筒部を介して、口にする場合、飲み易い。このことは、高粘度物（例えば、ゼリー状物）を、柔らかで長いストローを介して、飲もうとした場合、前記ストローが潰れてしまって、中々、飲み込むことが出来ないことからも、容易に、理解できる。口の筋肉が弱い者が使用する場合には、非常に使いやすい。例えば、加齢や脳梗塞、アルツハイマー等の原疾患を有する嚥下困難な患者に適している。しかし、これらの患者に限定されるものではない。
【００３２】
前記筒部は、好ましくは、蓋中心位置から外れた位置に在る。
【００３３】
凹部が、好ましくは、前記蓋面部に形成されている。前記筒部を口にした場合、前記凹部の存在によって、鼻の先端が蓋に当たり難い。逆に言うならば、前記筒部を口にした場合、前記凹部は、鼻が蓋面に当たりそうな個所に、鼻避け用の為に形成されている。鼻避け用に形成されていることから、首を傾けなくてもカップを傾けるだけで良い。
【００３４】
第２の本発明は容器である。前記容器は容器本体を具備する。前記容器は前記蓋を具備する。前記蓋によって前記容器本体の開口が覆われる。
【００３５】
以下、具体的な実施形態を挙げて本発明の説明が行われる。但し、本発明は以下の具体的実施形態に限定されない。本発明の特長が損なわれない限り、各種の変形例・応用例も含まれる。
【００３６】
図１〜図５は本発明の一実施形態になる蓋の説明図である。図１は、閉栓状態における容器の斜視図、図２は開栓後の自然状態における容器の斜視図、図３は飲用時（開栓状態）における容器の斜視図、図４は製造後の自然状態における蓋の平面図、図５は断面図である。
【００３７】
各図中、１は容器本体である。容器本体１は円筒状である。しかし、角筒状であっても良い。楕円筒状であっても良い。如何なる形状であっても良い。内面に内容量が確認できる目盛りがあっても良い。以下では、代表的な円筒形状の場合で説明される。容器本体が円筒形状であるから、以下の蓋にあっても、蓋外形は略円形である。蓋の外形は、容器本体の形状によって、変化する。２は、容器本体１の上端部に形成された環状リブである。容器本体１の素材は如何なるものでも良い。例えば、紙、樹脂、金属などが挙げられる。樹脂は不透明でも半透明でも良い。
【００３８】
３は蓋である。蓋３は、容器本体１の上端開口部を塞ぐ為のものである（図５参照）。蓋３の材料は、一般的には、樹脂である。例えば、ポリエチレン、ポリプロピレン等のオレフィン系樹脂が挙げられる。硬質樹脂よりも軟質樹脂が好ましい。オレフィン系樹脂は好ましい。半透明なものとする場合、例えばタルク等の含有樹脂が用いられる。樹脂は不透明でも半透明でも良い。蓋３は、前記軟質樹脂製フィルム（又は、シート）を成形することで得られる。成形方法は適宜な方法が採用できる。
【００３９】
４は蓋面部（天面部）である。５は筒部である。筒部５は蓋面部４に立設している。６は開口部（孔）である。開口部（孔）６は筒部５の上端に形成されている。７は周側面部である。８は溝部（嵌合部）である。溝部（嵌合部）８は、蓋面部４と周側面部７との境界部に、形成されている。蓋３が容器本体１に取り付けられた場合、容器本体１の環状リブ２が溝部（嵌合部）８内に嵌る。これによって、蓋３は強固に保持される。これ等の構成は、前記特許文献１，２によっても知られているので、詳細な説明は省略される。
【００４０】
筒部５は、本実施形態では、二段型である。下段側筒部５ａの径は大きい。下段側筒部５ａの高さは低い。高さは約１ｃｍ程度である。勿論、これに限られない。下段側筒部５ａにおける肉厚と蓋面部４の肉厚とは同程度である。上段側筒部５ｂの径は小さい。口にした場合、抵抗感を持たない程度の大きさである。上段側筒部５ｂの高さは下段側筒部５ａの高さより高い。高さは約１〜２ｃｍ程度である。勿論、これに限られない。口にした場合に抵抗感を持たない長さである。上段側筒部５ｂの長さが短すぎた場合、口に含み難い。上段側筒部５ｂの長さが長すぎた場合、上段側筒部５ｂを吸った場合に、上段側筒部５ｂは潰れる恐れが考えられる。特に、上段側筒部５ｂの肉厚は下段側筒部５ａの肉厚より薄い。例えば、０．２〜０．５ｍｍ程度である。勿論、これに限られない。しかし、蓋面部４の肉厚に比べたならば、上段側筒部５ｂの肉厚は薄い。従って、上段側筒部５ｂの強度は弱い。しかし、肉厚が薄い分だけ、上段側筒部５ｂは柔らかである。口にした場合の感触が良い。下段側筒部５ａを設けた理由は、上段側筒部５ｂの長さを長くしない為でもある。下段側筒部５ａを設けることによって、筒部５の長さ（下段側筒部５ａの長さ＋上段側筒部５ｂの長さ）が長くなる。そうすると、上段側筒部５ｂを口に含んだ場合、鼻が、それだけ、蓋面部４に当たり難い。かつ、肉厚が薄い上段側筒部５ｂの長さを長くしなくても済む。
【００４１】
９は凹部である。凹部９は蓋面部４の適宜な個所に設けられている。特に、上段側筒部５ｂを口に含んだ場合、凹部９は、鼻が位置しそうな個所に、形成されている。鼻は、凹部９によって、蓋面に、当たり難い。
【００４２】
１０はアーム部である。アーム部１０は弓形状（円弧形状）である。アーム部１０の一端部は、蓋３の周縁部Ａ（左側部Ａ）に、連結されている。アーム部１０の他端部は、蓋３の周縁部Ｂ（右側部Ｂ）に、連結されている。アーム部１０は、例えば次のようにして構成される。蓋３の成形時に、蓋３の周縁部には、図４中、一点鎖線で示されるフランジ１１が形成されている。成形後、プレス加工が行われる。プレス加工によって、フランジ１１の不要個所（図４中、実線と一点鎖線とで挟まれる領域）は除去される。前記プレス加工によって、スリット１２が形成される。このプレス加工によって、アーム部１０が構成される。前記プレス加工時に、アーム部１０の両端部には、波形状部１３ａ，１３ｂが形成される。波形状部１３ａ，１３ｂの凹凸高さはアーム部１０の肉厚の２倍程度である。例えば、高さが１ｍｍ程度の波形状部１３ａ，１３ｂが形成されている。
【００４３】
１４は摘部である。摘部１４は、アーム部１０の左右中央個所に形成されている。１５は滑り止め用の凹凸である。凹凸１５は摘部１４の表裏面に形成されている。
【００４４】
１６は栓である。栓１６は開口部（孔）６を塞ぐ。栓１６はアーム部１０（摘部１４近傍個所）に設けられている。
【００４５】
上記蓋の製造直後の状態が図４に示される。この段階では、アーム部１０は平面状である。
【００４６】
蓋３が容器本体１に取り付けられ、かつ、栓１６が開口部（孔）６を塞いだ状態が、図１に示される。この状態では、アーム部１０は略Ｃ形状に反り返っている。容器内は密閉空間であるから、容器内の流体（流動体）が漏れ出ることは無い。
【００４７】
栓１６が開栓された状態が図２に示される。閉栓時には、アーム部１０は略Ｃ形状になっている（図１参照）。従って、開栓後においても、アーム部１０は、多少、反っている。アーム部１０は蓋面部４より上側に位置している（図２参照）。アーム部１０は、製造直後の二次元的な形から、三次元的な形に、変形している。このままでは、上段側筒部５ｂを口に含んだ場合、アーム部１０が邪魔になる。
【００４８】
そこで、アーム部１０に対して下方向の力を加える。勿論、その後、前記力は解放される。そうすると、アーム部１０は変形している（図２参照）ので、アーム部１０は蓋３の周縁部に引っ掛かる（図３参照）。従って、図３の状態では、上段側筒部５ｂを口に含んだ場合、アーム部１０が邪魔にならない。栓１６を開栓してから上段側筒部５ｂを口に含むまでの操作（作業）は非常に簡単である。特許文献１の蓋に比べたならば遥かに簡単である。手が不自由な者でも上記一連の作業は極めて簡単である。例えば、障害や麻痺等により手が不自由であっても、上記一連の作業は極めて簡単である。しかし、本発明はこれに限定されるものではない。
【符号の説明】
【００４９】
１                容器本体
２                環状リブ
３                蓋
４                蓋面部
５                筒部
５ａ              下段側筒部
５ｂ              上段側筒部
６                開口部
７                周側面部
８                溝部
９                凹部
１０              アーム部
１１              フランジ
１２              スリット
１３ａ，１３ｂ    波形状部
１４              摘部
１６              栓
【図１】
2015113137.tif 000003
【図２】
2015113137.tif 000004
【図３】
2015113137.tif 000005
【図４】
2015113137.tif 000006
【図５】
2015113137.tif 000007
【図６】
2015113137.tif 000008
【図７】
2015113137.tif 000009
【図８】
2015113137.tif 000010
【図９】
2015113137.tif 000011